(57)【要約】【課題】従来は、光通信を行う二つの光無線伝送装置のうち、省電力の必要性に応じて省電力の必要性の高い方の光無線伝送装置をスレーブ側に設定するという作業を手動で行わなければならず、常に正確に設定することが困難である。【解決手段】自装置内部からのリンク確立要求により、通信制御部１１は、ＲＯＭ１２から読み出した自装置の基準レベルＬｅｖｅｌ＿ｘと、別途入力されたバッテリ情報とに基づいて、省電力の必要な程度に応じて定められる重要度を決定し、この重要度に基づいたリンク要求パケットの送信間隔を決定し、タイマ１４を設定する。通信制御部１１は、決定された送信間隔での送信信号Ｔｘを発光部１５より相手の光無線伝送装置へ送信させる。これにより、光通信する二つの光無線伝送装置のうち、省電力の要求の高い光無線伝送装置の方のリンク要求信号の発光の間隔が長くされ、スレーブ側に自動的に設定される確率が高くされる。【選択図】            図１
2004242209.tif 000002
【特許請求の範囲】
【請求項１】
第１及び第２の光無線伝送装置間で光無線を用いてデータ通信を行う光無線伝送システムにおいて、
前記第１及び第２の光無線伝送装置は、それぞれ予め消費電力の重要度を示す重要度情報が設定されており、リンク確立するためのリンク要求信号を送信する時間間隔を、自己の前記重要度が高いほど長い値に決定して自己の前記重要度情報と共に送信する送信手段と、前記リンク要求信号を相手装置から受信したとき、受信信号中の前記重要度情報が自己の重要度以下のときにのみ返答する応答手段とを有することを特徴とする光無線伝送システム。
【請求項２】
入力されたパケットを光信号に変換して送信する発光手段と、
相手装置から送信された光信号を光電変換して受信信号を得る受光手段と、
自装置の消費電力の重要度を示す基準となる基準レベルと自己ＩＤを予め記憶している記憶手段と、
少なくとも前記記憶手段から読み出した前記自己ＩＤを含むパケットを生成するパケット生成手段と、
リンク確立要求により、前記記憶手段から読み出した前記基準レベルに加えて、バッテリ容量、バッテリ残量及びＡＣ電源の接続の有無のうちの少なくとも一の情報に基づいて重要度を算出し、前記パケット生成手段により生成された前記自己ＩＤを含むリンク要求パケットの送信間隔を前記重要度が高いほど長い値に決定する送信間隔決定手段と、
前記送信間隔決定手段により決定された送信間隔で、前記パケット生成手段により生成された前記リンク要求パケットを、前記発光手段より送信する制御手段と
を有することを特徴とする光無線伝送装置。
【発明の詳細な説明】
【０００１】
【発明の属する技術分野】
本発明は光無線伝送システム及び光無線伝送装置に係り、特に光無線を用いて二つの光無線伝送装置間で双方向のデータ伝送を行う光無線伝送システム及び光無線伝送装置に関する。
【０００２】
【従来の技術】
光無線を用いてデータ伝送を行う光無線伝送装置が携帯機器の場合、消費電力が問題となる。消費電力は送信すなわち、発光器の発光時が最も大きい。そのため、例えば、光無線を使用したデータ伝送を行う二つの光無線伝送装置がデスクトップ型パーソナルコンピュータ（デスクトップＰＣ）と携帯端末である場合、デスクトップＰＣと比較して、消費電力にシビアな携帯端末の発光をできる限り抑えることが必要となる。
【０００３】
図１１に、ＵＳＢを例として、２つの光無線伝送装置をマスター（ホスト）およびスレーブ（デバイス）に設定し、１対１通信を行う場合のデータフローを示す。ホスト側からのデータ送信の場合、まずホストはデバイスに対して、ＬＩＮＫ要求にてデータを送信することを伝えた（ｏｕｔ  Ｔｏｋｅｎ）後、図１１にＩで示すようにデータの送信を開始する。上記のデータ送信によりデバイス側は図１１にＩＩで示すようにデータ受信するが、デバイス側は正常受信の場合、ａｃｋ応答をし、トランザクションを終了する。エラーの場合はｎａｋ応答または無応答でエラーをホストに伝える。この場合、ホスト側はデータを再送することとなる。
【０００４】
送信されるデータＤａｔａ０−０、ＤＡＴＡ０−１の各パケットフォーマットは、図１２（Ａ）に示すように先頭と最後尾に固有パターンのフラグ１０１、１０５が配置され、フラグ１０１以降にはＰＩＤ１０２、データ（ＤＡＴＡ）１０３及びパリティ（Ｐａｒｉｔｙ）１０４が配置されたフォーマットである。なお、フラグ１０１と１０５は同じであってもよいし、異なっていてもよい。
また、ａｃｋのパケットは、図１２（Ｂ）に示すように、フラグ１１１、ＰＩＤ１１２、パリティ１１３及びフラグ１１４から構成されており、Ｔｏｋｅｎパケットは、図１２（Ｃ）に示すように、フラグ１２１、ＰＩＤ１２２、アドレス１２３、エンドＰ１２４、パリティ１２５及びフラグ１２６から構成される。上記の先頭のフラグ１１１及び１２１と、最後尾のフラグ１１４及び１２６は固有のパターンであり、同じ値でも異なる値でもよい。
【０００５】
また、デバイス側からのデータ送信に関しては、図１１にＩＩＩで示すように、ホスト側からの送信許可（ＩＮ  Ｔｏｋｅｎ）後、デバイスはホストに対し、データを送信する。ホスト側では、デバイス側からのデータをＩＶで示すように受信し、デバイスに受信完了を示すａｃｋパケットを返すことで、トランザクションが終了する。
【０００６】
このようにホスト（マスター）と、デバイス（スレーブ）間での通信では、ホスト（マスター）側が伝送路をコントロールするため、デバイス（スレーブ）側より多くのパケットを送信することとなる。
【０００７】
従って、光無線伝送を用いた場合、消費電力を少しでも抑えたい光無線伝送装置が、スレーブ側に設定されることが望ましい。ただし、スレーブ側よりマスター側に大量のデータを送信する場合は、この限りではないが、ここでは考慮しない。
【０００８】
【発明が解決しようとする課題】
しかるに、従来の光無線伝送システムでは、デスクトップＰＣだけでなく、バッテリ駆動のノート型ＰＣ、携帯型情報機器（ＰＤＡ）、さらに消費電力にシビアな携帯端末などの様々な機器との通信が可能な携帯端末を光無線伝送装置として使用する場合、消費電力低減のために通信相手によってユーザが手動にて携帯端末をスレーブ側に設定する必要があり、操作が面倒であり、また設定し忘れもあるという問題がある。
【０００９】
更に、光通信を行う二つの光無線伝送装置が携帯端末以外の互いに異なる種類の場合、省電力の必要性が異なるのが通常であるが、省電力の必要性に応じて省電力の必要性の高い方の光無線伝送装置をスレーブ側に設定するという作業も相手装置に応じて従来は手動で行わなければならず、常に正確に設定することが困難であるという問題がある。
【００１０】
本発明は上記の点に鑑みなされたもので、リンクを確立時に自動で通信相手に応じて、マスター、スレーブの設定を最適に行い得る光無線伝送システム及び光無線伝送装置を提供することを目的とする。
【００１１】
【課題を解決するための手段】
上記の目的を達成するため、第１の発明の光無線伝送システムは、第１及び第２の光無線伝送装置間で光無線を用いてデータ通信を行う光無線伝送システムにおいて、第１及び第２の光無線伝送装置は、それぞれ予め消費電力の重要度を示す重要度情報が設定されており、リンク確立するためのリンク要求信号を送信する時間間隔を、自己の重要度が高いほど長い値に決定して自己の重要度情報と共に送信する送信手段と、リンク要求信号を相手装置から受信したとき、受信信号中の重要度情報が自己の重要度以下のときにのみ返答する応答手段とを有することを特徴とする。
【００１２】
この発明では、リンク要求信号を相手装置から受信したとき、受信信号中の重要度情報が自己の重要度以下のときにのみ返答するようにしたため、常に重要度の低い光無線伝送装置の方の送信リンク要求信号が受信されるようにすることができる。
【００１３】
また、上記の目的を達成するため、第２の発明の光無線伝送装置は、入力されたパケットを光信号に変換して送信する発光手段と、相手装置から送信された光信号を光電変換して受信信号を得る受光手段と、自装置の消費電力の重要度を示す基準となる基準レベルと自己ＩＤを予め記憶している記憶手段と、少なくとも記憶手段から読み出した自己ＩＤを含むパケットを生成するパケット生成手段と、リンク確立要求により、記憶手段から読み出した基準レベルに加えて、バッテリ容量、バッテリ残量及びＡＣ電源の接続の有無のうちの少なくとも一の情報に基づいて重要度を算出し、パケット生成手段により生成された自己ＩＤを含むリンク要求パケットの送信間隔を重要度が高いほど長い値に決定する送信間隔決定手段と、送信間隔決定手段により決定された送信間隔で、パケット生成手段により生成されたリンク要求パケットを、発光手段より送信する制御手段とを有する構成としたものである。
【００１４】
この発明では、重要度の高い光無線伝送装置の方の送信リンク要求信号の送信時間間隔が長く、重要度の低い光無線伝送装置の方の送信リンク要求信号の送信時間間隔が短いため、重要度の低い光無線伝送装置の方の送信リンク要求信号が受信される確率を高くすることができる。また、この発明では、リンク確立要求により、記憶手段から読み出した基準レベルに加えて、バッテリ容量、バッテリ残量及びＡＣ電源の接続の有無のうちの少なくとも一の情報に基づいて重要度を算出するようにしたため、機種に応じた固有の重要度に比較してより実際に即した重要度の算出ができる。
【００１５】
【発明の実施の形態】
次に、本発明の一実施の形態について図面と共に説明する。図１は本発明になる光無線伝送装置の一実施の形態のブロック図を示す。同図において、この実施の形態は、伝送装置全体を統括的に制御する通信制御部１１と、自装置の基準レベル（ｌｅｖｅｌ＿ｘ）と識別情報である自己ＩＤとが予め格納されているリード・オンリ・メモリ（ＲＯＭ）１２と、パケットを生成するパケット生成部１３と、パケット送信間隔を決定するためのタイマ１４と、送信するパケットＴｘを電気−光変換して光信号として送信する発光部１５と、相手装置から送信された光信号を受光して光電変換する受光部１６と、受光部１６からの受信信号Ｒｘを一時蓄積して通信制御部１１へ出力するＦＩＦＯ１７とより構成されている。
【００１６】
次に、この実施の形態の動作について説明する。まず、自装置内部からのリンク確立要求（例えば、ユーザが本実施の形態の光無線伝送装置である携帯端末で他の光無線伝送装置と通信を行うために、自装置上のスイッチを押すことに対応して発行される）が通信制御部１１に入力される。これにより、通信制御部１１は、ＲＯＭ１２から読み出した自装置の基準レベルＬｅｖｅｌ＿ｘと、別途入力された、装置電源である図示しないバッテリの現在の残量及びバッテリ駆動か否かの情報からなるバッテリ情報とに基づいて、省電力の必要な程度に応じて定められる後述する重要度（Ｌｅｖｅｌ）を決定し、この重要度（Ｌｅｖｅｌ）に基づいたリンク要求パケットの送信間隔を決定し、タイマ１４を設定（ＴＭ＿ＳＥＴ）する。
【００１７】
同時に、パケット生成部１３は、通信制御部１１から供給される重要度（Ｌｅｖｅｌ）と、ＲＯＭ１２から読み出した自己ＩＤとに基づき、パケットＴＤを生成し、これを通信制御部１１に供給する。通信制御部１１は入力されたパケットＴＤをタイマ１４から供給される送信許可信号ＴＭ＿ＥＮが入力される毎に、決定された送信間隔での送信信号Ｔｘを発光部１５へ出力し、これより相手の光無線伝送装置へ光信号として送信する。
【００１８】
図２は上記の送信信号Ｔｘのパケットフォーマットの一例を示す。同図において、パケットは先頭と最後尾には固有のパターンのフラグ２１、２６が配置され、先頭のフラグ２１に続いて自己ＩＤ２２、相手ＩＤ２３、重要度（Ｌｅｖｅｌ）２４、コマンド（Ｃｏｍｍａｎｄ）２５が順次配列された構成である。なお、実際にはパリティ等も付加されるが、ここでは説明上、必要なものだけを記す。フラグ２１、２６はパケットの開始、終了を示す固有パターンで、互いに同一であっても、異なっていてもよい。
【００１９】
また、自己ＩＤ２２は、ＲＯＭ１２から読み出されたアドレスで、予め定められたユニークなアドレスでも、ランダムに設定するものでもよい。相手ＩＤ２３は相手アドレスで、リンク確立後、相手情報により設定されるが、リンク確立前は予め決められたグローバルＩＤ（例えば、８ビットならば０ｘＦＦ等）とする。
【００２０】
重要度（Ｌｅｖｅｌ）２４は、自装置の基準レベルＬｅｖｅｌ＿ｘとバッテリ情報とに基づいて通信制御部１１で定められた、省電力の必要な程度を示す情報であるが、機種に応じて予め定められた固有値としてもよい。重要度（Ｌｅｖｅｌ）２４を、機種に応じた予め定められた省電力の必要な程度を示す固有値とした場合は、例えばパーソナルコンピュータ（ＰＣ）を重要度が最も低い、すなわち省電力の要求が最も小さいＬｅｖｅｌ０、携帯型再生装置（携帯プレーヤ）を省電力の要求が最も大きいＬｅｖｅｌ３とする。また、図２のコマンド２５には、リンク要求コマンドやその応答が入る。
【００２１】
上記の実施の形態の光無線伝送装置の具体例としては、図３に示す携帯音楽プレーヤ３０、図４に示すパーソナルコンピュータ（ＰＣ）４０、図５に示すＰＤＡ５０などがある。図３に示す携帯音楽プレーヤ３０は、プレーヤ本体３１にヘッドホン３２が接続されたＩＣ型プレーヤ構成であり、プレーヤ本体３１には高速でのデータ伝送が可能な光送受光器３３と、様々な情報を表示する液晶表示素子（ＬＣＤ）からなる表示部３４と、コードを入力するための複数のキーからなるキー入力部３５が形成されており、光無線によるファイル転送が可能であり、圧縮された音楽データを再生する。
【００２２】
また、図４に示すＰＣ４０は、キーボード部４１と、キーボード部４１の例えば側面に設けられた光送受光器４２と、ＬＣＤによる表示部４３とからなる携帯型のＰＣである。図４に示すＰＣ４０は、音楽データを蓄積しており、前述した携帯音楽プレーヤ３０と光伝送を行っているときの状態を示している。
【００２３】
また、図５に示すＰＤＡ５０は、高速でのデータ伝送が可能な光送受光器５１を備えた携帯型情報機器であり、図５では光送受光器５１を前述した携帯音楽プレーヤ３０に対向させて光伝送を行っている状態を示している。更に、図６は図３に示した携帯音楽プレーヤ３０のプレーヤ本体３１と同様構成の携帯音楽プレーヤ３０ａと３０ｂの間で光伝送を行っている状態を示す。
【００２４】
なお、上記の図４乃至図６に示した光伝送は、受発光の能力にもよるが、例えば１ｍ程度以内の距離範囲で行われる。また、半二重での光伝送を行うものとすると、受信時には受信している光無線伝送装置は送信をしておらず、自発光の反射によるノイズを考慮する必要がない。
【００２５】
上記の携帯音楽プレーヤ３０（３０ａ、３０ｂ）、ＰＣ４０及びＰＤＡ５０を、省電力の重要度で考えると、
携帯音楽プレーヤ  ＞  ＰＤＡ  ＞  ＰＣ
となる。すなわち、携帯機器の省電力の重要度Ｌｅｖｅｌは、機種に応じて予め定められた固有値とする場合は、バッテリの容量で定められ、小型の携帯機器ほどバッテリ容量が小さいので、上記のようにＰＣ及びＰＤＡに比べて小型な携帯音楽プレーヤが、省電力の重要度Ｌｅｖｅｌが最も高い値に設定される。
【００２６】
次に、図４に示したようにＰＣ４０と携帯音楽プレーヤ３０との間で光伝送を行う光無線伝送システムを例にとって、その動作について説明する。なお、以下の説明では、重要度は機器の種類により予め定められた固有値であるものとして説明する。図８は上記のＰＣ４０と携帯音楽プレーヤ３０との間のリンク要求パケット送信タイミングの一例のタイミングチャートを示し、図７はリンク確立までの一例のタイミングチャートを示す。
【００２７】
リンク確立までは、ＰＣ４０は図７（Ａ）及び図８（Ａ）に示すように周期ｔ０±αでリンク要求信号を送信し、携帯音楽プレーヤ３０は図７（Ｃ）及び図８（Ｂ）に示すように周期ｔ３±αでリンク要求信号を送信する。なお、図７（Ｂ）はＰＣ４０の受信イネーブル信号、同図（Ｄ）は携帯音楽プレーヤ３０の受信イネーブル信号を示す。
【００２８】
ここで、携帯音楽プレーヤ３０の省電力の重要度を示すＬｅｖｅｌが「３」であるのに対し、ＰＣ４０のＬｅｖｅｌは「０」であり、携帯音楽プレーヤ３０は省電力の重要度が高く、発光（送信）間隔をできるだけ抑えるべく、発光の間隔を長くするため、ｔ３＞ｔ０である。また、上記のαは毎回ランダムに設定される値であり、ｔ３とｔ０の間に、以下の大小関係がある。
【００２９】
ｔ３＞ｔ０≫α
これにより、携帯音楽プレーヤ３０のリンク要求より先にＰＣ４０からのリンク要求を携帯音楽プレーヤ３０が受信する確率が高くなる。確率はｔ０、ｔ３の値によって変化する。
【００３０】
図７の例では、同図（Ａ）に示すＰＣ４０からのリンク要求信号（Ｌｉｎｋ＿ｒｅｑ）ａ１と、同図（Ｃ）に示す携帯音楽プレーヤ３０からのリンク要求信号（Ｌｉｎｋ＿ｒｅｑ）ｃ１とが同時に発生しているため、送信が衝突し、受信ができないので、両機器とも応答できない。そのため、図７（Ａ）にａ２で示す次のＰＣ４０からのリンク要求信号を、携帯音楽プレーヤ３０が受信することにより、リンク要求信号の送信を止めると共に、同図（Ｃ）にｃ２で示す応答信号Ｌｉｎｋ＿ｒｅｓをＰＣ４０へ応答送信し、この応答信号をＰＣ４０が受信することにより、同図（Ａ）にａ３で示す応答信号を送信し、これを受信した携帯音楽プレーヤ３０が同図（Ｃ）にｃ３で示す受信完了を示すパケットＡｃｋを返送することでリンクが確立する。
【００３１】
このように、携帯音楽プレーヤ３０が自分よりもＬｅｖｅｌの低いＰＣ４０と通信する場合は、Ｌｅｖｅｌの低いＰＣ４０のリンク要求が優先される確率が高くなる。この場合は、携帯音楽プレーヤ３０がスレーブ、ＰＣ４０がマスターに設定され、携帯音楽プレーヤ３０の省電力化を実現できる。
【００３２】
これに対し、仮に携帯音楽プレーヤよりもＬｅｖｅｌの高い（省電力の要求の高い）、例えばＬｅｖｅｌ５の光無線伝送装置と通信を行う場合は、上記と同様にしてＬｅｖｅｌの高い光無線伝送装置の方のリンク要求信号の発光の間隔を長くすることにより、Ｌｅｖｅｌの低い携帯音楽プレーヤのリンク要求が優先される確率が高くなる。また、図６のような携帯音楽プレーヤ同士の光伝送のように、携帯音楽プレーヤが自己と同等のＬｅｖｅｌ３の光無線伝送装置と通信する場合、リンク要求が優先される確率は同じである。
【００３３】
ただし、この場合は二つの光無線伝送装置が常に同時にリンク要求を送信し、リンクが確立しない状態に陥る可能性がある。このため、本実施の形態では、この場合はリンク要求の間隔にランダムなαを設定し、図９（Ａ）に示すように、一方の光無線伝送装置（例えば携帯音楽プレーヤ）が（ｔ３＋α３）と（ｔ３−α１）の時間間隔で交互にリンク要求を行い、他方の光無線伝送装置がｔ３と（ｔ３＋α２）で交互にリンク要求を行うことにより、上記の常に同時にリンク要求を送信し、リンクが確立しない状態に陥ることを回避するようにしている。
【００３４】
このように、上記の実施の形態によれば、光通信する二つの光無線伝送装置のうち、Ｌｅｖｅｌの低い（省電力の要求の低い）光無線伝送装置の方のリンク要求信号の発光の間隔を短くすることにより、消費電力の重要度の低い光無線伝送装置のリンク要求が優先される確率を高くするようにしたため、消費電力の重要度の高い光無線伝送装置のリンク要求のための間歇発光時間を少なく抑えて省電力化を実現すると共に、自動でリンクを確立することを実現できる。
【００３５】
しかしながら、上記の実施の形態では、消費電力の重要度の低い光無線伝送装置のリンク要求が優先される確率を高くすることはできるが、確実に消費電力の重要度の低い光無線伝送装置をマスターにすることはできない。
【００３６】
これに対し、次に説明する他の実施の形態は、確実に消費電力の重要度の低い光無線伝送装置をマスターにできるようにしたものである。この実施の形態では、例えば図４に示したようにＰＣ４０と携帯音楽プレーヤ３０との間で光伝送を行う場合、リンク確立までは、ＰＣ４０は図１０（Ａ）に示すように周期ｔ０±αでリンク要求信号を送信し、携帯音楽プレーヤ３０は図１０（Ｃ）に示すように周期ｔ３±αでリンク要求信号を送信する。なお、図１０（Ｂ）はＰＣ４０の受信イネーブル信号、同図（Ｄ）は携帯音楽プレーヤ３０の受信イネーブル信号を示す。
【００３７】
ここで、携帯音楽プレーヤ３０の省電力の重要度を示すＬｅｖｅｌが「３」であるのに対し、ＰＣ４０のＬｅｖｅｌは「０」であり、携帯音楽プレーヤ３０は省電力の重要度が高く、発光（送信）間隔をできるだけ抑えるべく、発光の間隔を長くするため、ｔ３＞ｔ０である。
【００３８】
この実施の形態では、受信パケットに付加された重要度情報に基づき、自機よりも重要度が高い場合は返答をせず、重要度が低い場合は返答をするようにしたものである。従って、図１０の例では、同図（Ｃ）にｃ１１で示すように初めに携帯音楽プレーヤ３０からリンク要求信号を送信し、これをＰＣ４０が受信しているが、ＰＣ４０よりも携帯音楽プレーヤ３０の重要度が高いため、ＰＣ４０はこのリンク要求信号に応答しない。
【００３９】
一方、図１０（Ａ）にａ１１で示すＰＣ４０から送信されたリンク要求信号は、携帯音楽プレーヤ３０により受信されるが、このときには、携帯音楽プレーヤ３０よりもＰＣ４０の重要度が高いため、携帯音楽プレーヤ３０は、リンク要求信号の送信を止めると共に、同図（Ｃ）にｃ１２で示す応答信号Ｌｉｎｋ＿ｒｅｓをＰＣ４０へ応答送信する。この応答信号をＰＣ４０が受信することにより、ＰＣ４０は図１０（Ａ）にａ１２で示す応答信号を送信し、これを受信した携帯音楽プレーヤ３０が同図（Ｃ）にｃ１３で示す受信完了を示すパケットＡｃｋを返送することでリンクが確立する。
【００４０】
これにより、重要度の低いＰＣ４０のリンク要求のみが常に優先され、マスターに設定されることになり、携帯音楽プレーヤ３０がスレーブ、ＰＣ４０がマスターに設定され、携帯音楽プレーヤ３０の省電力化を実現できる。
【００４１】
なお、本発明は以上の実施の形態に限定されるものではなく、例えば、前記２つのプロセス（すなわち、重要度に応じて、バースト的に送信するリンク要求信号の間隔を変える第１のプロセスと、自装置より相手装置の方が重要度の低い場合のみ、リンク要求に対して応答する（スレーブになる）第２のプロセス）を同時に行うことで、消費電力の重要度の高いものほど、発光時間を少なく抑え、かつ、確実にスレーブに設定することを実現することができる。
【００４２】
また、上記の説明では消費電力の重要性を示す重要度情報として、機器に固有の重要度を設定しているが、図１と共に説明したように、機器に固有の重要度を基準レベルとし、これにＡＣ電源の接続の有無と、バッテリ容量及びバッテリ残量のバッテリ情報等を勘案して、重要度を変更するようにした場合は、より最適なマスタースレーブ設定が可能になる。なお、ＡＣ電源の接続の有無と、バッテリ容量及びバッテリ残量のいずれか一の情報を用いることもできる。
【００４３】
【発明の効果】
以上説明したように、本発明によれば、消費電力の重要度の高い光無線伝送装置の方の送信リンク要求信号の送信時間間隔を長く、消費電力の重要度の低い光無線伝送装置の方の送信リンク要求信号の送信時間間隔を短くすることにより、重要度の低い光無線伝送装置の方の送信リンク要求信号が受信される確率を高くするようにしたため、省電力の要求が低い光無線伝送装置をマスター、省電力の要求が高い光無線伝送装置をスレーブにする確率を高くすることができ、消費電力の重要度の高い光無線伝送装置のリンク要求のための間歇発光時間を少なく抑えて省電力化を実現する確率を高くできる。
【００４４】
また、本発明によれば、リンク要求信号を相手装置から受信したとき、受信信号中の重要度情報が自己の重要度以下のときにのみ返答することにより、常に重要度の低い光無線伝送装置の方の送信リンク要求信号が受信されるようにしたため、常に消費電力の重要度の低い光無線伝送装置のリンク要求を優先することができ、２装置間で相対的に消費電力の重要度の低い光無線伝送装置をマスター、重要度の高い光無線伝送装置をスレーブに自動設定することが可能になり、消費電力の重要度の高い光無線伝送装置の省電力化を実現できる。
【００４５】
更に、本発明によれば、リンク確立要求により、基準レベルに加えて、バッテリ容量、バッテリ残量及びＡＣ電源の接続の有無のうちの少なくとも一の情報に基づいて重要度を算出することにより、機種に応じた固有の重要度に比較してより実際に即した重要度の算出ができるため、より最適なマスター、スレーブの設定が自動的にできると共に、消費電力の重要度の高い光無線伝送装置の省電力化を実現できる。
【図面の簡単な説明】
【図１】本発明の光無線伝送装置の一実施の形態のブロック図である。
【図２】リンク確立時のパケットのフォーマットの一例である。
【図３】光無線伝送装置の一例としての携帯音楽プレーヤの外観図である。
【図４】携帯音楽プレーヤとＰＣとの間の伝無線送例を示す図である。
【図５】携帯音楽プレーヤとＰＤＡとの間の光無線伝送例を示す図である。
【図６】携帯音楽プレーヤ同士で光無線伝送を行う例を示す図である。
【図７】本発明の一実施の形態のリンク確立までのタイミングチャートである。
【図８】本発明の一実施の形態のパケット送信タイミングを示す図である。
【図９】本発明においてリンク要求の間隔にランダムなαを設定することで、常に同時にリンク要求を送信し、リンクが確立しない状態に陥ることを回避するパケット送信タイミングを示す図である。
【図１０】本発明の他の実施の形態のリンク確立までを示すタイミングチャートである。
【図１１】一般的なＵＳＢを例として、２つの機器をマスター（ホスト）およびスレーブ（デバイス）に設定し、１対１通信を行う場合のデータフローである。
【図１２】従来システムにおける各パケットのフォーマットである。
【符号の説明】
１１  通信制御部
１２  リード・オンリ・メモリ（ＲＯＭ）
１３  パケット生成部
１４  タイマ
１５  発光部
１６  受光部
１７  ＦＩＦＯ
３０  携帯音楽プレーヤ
３１  プレーヤ本体
３３、４２、５１  光送受光器
３４  表示部
３５  キー部
４０  パーソナルコンピュータ（ＰＣ）
５０  ＰＤＡ
【図１】
2004242209.tif 000003
【図２】
2004242209.tif 000004
【図３】
2004242209.tif 000005
【図４】
2004242209.tif 000006
【図５】
2004242209.tif 000007
【図６】
2004242209.tif 000008
【図７】
2004242209.tif 000009
【図８】
2004242209.tif 000010
【図９】
2004242209.tif 000011
【図１０】
2004242209.tif 000012
【図１１】
2004242209.tif 000013
【図１２】
2004242209.tif 000014